(57)【要約】【課題】火災時にスパンドレル部が下階から噴出火炎等の延焼を受けても、容易に耐火パネルの破損や落下を生じさせないようにする。【解決手段】カーテンウォール１は、床版に固設されたファスナー１４と、このファスナー１４と方立２とを連結する取付金具１６とによって支持され、耐火パネル４５は、四周が左右対の鋼製縦枠４０，４１及び上下対の鋼製横枠４２，４３からなる保持枠４４により保持されるとともに、前記鋼製縦枠４０，４１の部材中間位置に上段側掛止用切欠き部４０ａ、４１ａと下段側掛止用切欠き部４０ｂ、４１ｂが形成されたユニットＳとされ、前記鋼製縦枠４０，４１の上段側掛止用切欠き部４０ａ、４１ａを前記ファスナー１４に掛止させるとともに、前記下段側掛止用切欠き部４０ｂ、４１ｂを床版支持用梁材３４に設けた断面Ｌ字状の耐火パネルファスナー３５に掛止させて支持する。【選択図】図４
2010001646.tif 000002
【特許請求の範囲】
【請求項１】
ガラスパネルをアルミニウム合金製の方立及び／又は無目で支持し、スパンドレル部に耐火パネルを配置したカーテンウォールであって、
前記耐火パネルは、躯体によって支持される金属製支持具を一体的に備え、方立及び／又は無目よりも内側に位置するとともに、横方向に連設した状態で躯体に支持され、かつ隣り合う耐火パネルの目地部を耐火材で塞ぐとともに、耐火パネルの躯体側支持部を耐火材で覆ったことを特徴とするカーテンウォール。
【請求項２】
ガラスパネルをアルミニウム合金製の方立及び／又は無目で支持し、スパンドレル部に耐火パネルを配置したカーテンウォールであって、
前記方立は、床版に固設されたファスナーと、このファスナーに連結された取付金具とによって支持され、
前記耐火パネルは、少なくとも左右縁に金属製縦枠を備え、躯体には前記金属製縦枠を支持する躯体支持具を固設し、
前記取付金具は耐火パネル間に位置し、前記耐火パネルは前記方立よりも内側に位置するとともに、横方向に連設した状態で前記躯体支持具によって支持され、かつ隣り合う耐火パネルの目地部を耐火材で塞ぐとともに、前記躯体支持具を含む耐火パネルの躯体側支持部を耐火材で覆ったことを特徴とするカーテンウォール。
【請求項３】
前記金属製縦枠に掛止用切欠き部を形成し、この掛止用切欠き部を前記躯体支持具に掛止させてある請求項２記載のカーテンウォール。
【請求項４】
前記躯体支持具を前記ファスナーが兼用している請求項２，３いずれかに記載のカーテンウォール。
【請求項５】
スパンドレル部に耐火パネルが配置されたカーテンウォールであって、
前記カーテンウォールは、床版に固設されたファスナーと、このファスナーと方立とを連結する取付金具とによって支持され、
前記耐火パネルは、四周が左右対の鋼製縦枠及び上下対の鋼製横枠からなる保持枠により保持されるとともに、前記鋼製縦枠の部材中間位置に掛止用切欠き部が形成されたユニットとされ、
前記耐火パネルユニットは、前記鋼製縦枠の掛止用切欠き部を前記ファスナーに掛止させることにより支持されていることを特徴とするカーテンウォール。
【請求項６】
スパンドレル部に耐火パネルが配置されたカーテンウォールであって、
前記カーテンウォールは、床版に固設されたファスナーと、このファスナーと方立とを連結する取付金具とによって支持され、
前記耐火パネルは、四周が左右対の鋼製縦枠及び上下対の鋼製横枠からなる保持枠により保持されるとともに、前記鋼製縦枠より内方側位置に別途鋼製掛止用縦材が設けられるとともに、この鋼製縦材の部材中間位置に掛止用切欠き部が形成されたユニットとされ、
前記耐火パネルユニットは、前記鋼製掛止用縦材の掛止用切欠き部を前記ファスナーに掛止させることにより支持されていることを特徴とするカーテンウォール。
【請求項７】
前記鋼製縦枠及び／又は鋼製掛止用縦材の部材長手方向に上下２段で前記掛止用切欠き部が形成され、上段側掛止切欠き部を前記ファスナーに掛止させるとともに、下段側掛止用切欠き部は床版支持用梁材に設けた耐火パネルファスナーに対して掛止させることにより前記耐火パネルユニットが支持されている請求項５〜６いずれかに記載のカーテンウォール。
【請求項８】
前記鋼製縦枠及び／又は鋼製掛止用縦材のファスナーに対する掛止部は、ファスナー中央の取付金具の連結部位を避けて、その両側としてある請求項５〜７いずれかに記載のカーテンウォール。
【請求項９】
前記鋼製縦枠、鋼製横枠及び／又は鋼製掛止用部材を耐火材で覆う処理を行うことを前提に、これらの部材に代えて、アルミ合金製縦枠、アルミ合金製横枠及び／又はアルミ合金製掛止用部材を用いる請求項５〜８いずれかに記載のカーテンウォール。
【発明の詳細な説明】
【技術分野】
【０００１】
本発明は、スパンドレル部に耐火パネルが配置されたカーテンウォールに関する。
【背景技術】
【０００２】
従来より、カーテンウォール構造においては、採光を必要とする窓部と窓部との間の天井及び床部分（スパンドレル部）には、カーテンウォールの室内側に耐火パネルが取り付けられている。
【０００３】
具体的には、図１１に示されるように、水平方向に間隔をおいて設置される方立５０，５０…と、鉛直方向に間隔をおいて前記方立５０，５０間に設置される無目５１，５１…とにより方形の開口枠を構成し、これら各方形枠に対してガラス部以外、例えば床版を跨ぐ腰部及び天井部に対応する部分に、上下階への延焼を防止するため、方立５０や無目５１、図示例では無目５１、５１に取付枠５２，５２を設け、耐火パネル５４を設置するようにしてある。このようなカーテンウォールユニットに対して一体的に耐火パネルを取り付ける構造は、従来はごく一般的に採用されている構造であり、例えば下記特許文献１〜３等を挙げることができる。
【特許文献１】特開２００３−２５３７９５号公報
【特許文献２】特開２００４−２１１３１０号公報
【特許文献３】特開２０００−３０３６００号公報
【発明の開示】
【発明が解決しようとする課題】
【０００４】
しかしながら、例えば下階側で火災が発生し、この火炎が上階側に延焼すると、方立や無目を構成している部材はアルミニウム合金であるため、約３５０℃で熱応力による変形や溶融が起こり残存耐力が低下し、約６６０．２℃で部材が熔解することになる。その結果、耐火パネルを支持しているカーテンウォール構成部材の変形や熔解、取付枠の脱落によって、耐火パネルが破損したり、落下するおそれがあった。
【０００５】
そこで本発明の主たる課題は、火災時にスパンドレル部が下階から噴出火炎等の延焼を受けても、容易に耐火パネルの破損や落下を生じさせないようにしたカーテンウォールを提供することにある。
【課題を解決するための手段】
【０００６】
前記課題を解決するために請求項１に係る本発明として、ガラスパネルをアルミニウム合金製の方立及び／又は無目で支持し、スパンドレル部に耐火パネルを配置したカーテンウォールであって、
前記耐火パネルは、躯体によって支持される金属製支持具を一体的に備え、方立及び／又は無目よりも内側に位置するとともに、横方向に連設した状態で躯体に支持され、かつ隣り合う耐火パネルの目地部を耐火材で塞ぐとともに、耐火パネルの躯体側支持部を耐火材で覆ったことを特徴とするカーテンウォールが提供される。
【０００７】
上記請求項１記載の発明では、耐火パネルは、躯体によって支持される金属製支持具を一体的に備え、この金属製支持具によって建物の躯体に支持させるようにし、かつ隣り合う耐火パネルの目地部を耐火材で塞ぐとともに、耐火パネルの躯体側支持部を耐火材で覆うようにした。
【０００８】
従って、耐火パネルをカーテンウォールとは関係無く、躯体に対して直接支持させるようにするとともに、隣り合う耐火パネルの目地部を耐火材で塞ぎ、耐火パネルの躯体側支持部を耐火材で覆うようにしたため、下階側から噴出火炎等の延焼によって、カーテンウォールを構成している方立や無目の部材に変形や熔解が発生したとしても、容易に耐火パネルの破損や落下が生じない構造とすることが可能となる。
【０００９】
請求項２に係る本発明として、ガラスパネルをアルミニウム合金製の方立及び／又は無目で支持し、スパンドレル部に耐火パネルを配置したカーテンウォールであって、
前記方立は、床版に固設されたファスナーと、このファスナーに連結された取付金具とによって支持され、
前記耐火パネルは、少なくとも左右縁に金属製縦枠を備え、躯体には前記金属製縦枠を支持する躯体支持具を固設し、
前記取付金具は耐火パネル間に位置し、前記耐火パネルは前記方立よりも内側に位置するとともに、横方向に連設した状態で前記躯体支持具によって支持され、かつ隣り合う耐火パネルの目地部を耐火材で塞ぐとともに、前記躯体支持具を含む耐火パネルの躯体側支持部を耐火材で覆ったことを特徴とするカーテンウォールが提供される。
【００１０】
上記請求項２記載の発明は、耐火パネルは、少なくとも左右縁に金属製縦枠を備え、躯体には前記金属製縦枠を支持する躯体支持具を固設しておき、耐火パネルは前記方立よりも内側に位置するとともに、横方向に連設した状態で前記躯体支持具によって支持するようにし、かつ隣り合う耐火パネルの目地部を耐火材で塞ぐとともに、耐火パネルの躯体側支持部を耐火材で覆うようにしたものであり、これによって上記請求項１記載の発明と同様の効果を奏することが可能となる。
【００１１】
請求項３に係る本発明として、前記金属製縦枠に掛止用切欠き部を形成し、この掛止用切欠き部を前記躯体支持具に掛止させてある請求項２記載のカーテンウォールが提供される。
【００１２】
上記請求項３記載の発明では、金属製縦枠に掛止用切欠き部を形成し、この掛止用切欠き部を前記躯体支持具に掛止させるようにしたため、耐火パネルの設置が簡単に行えるようになる。
【００１３】
請求項４に係る本発明として、前記躯体支持具を前記ファスナーが兼用している請求項２，３いずれかに記載のカーテンウォールが提供される。
【００１４】
上記請求項４記載の本発明では、前記躯体支持具を前記ファスナー（通常は鋼製）が兼用するようにしたものであり、これによってファスナーとは別に躯体支持具を設ける必要が無くなる。
【００１５】
請求項５に係る本発明として、スパンドレル部に耐火パネルが配置されたカーテンウォールであって、
前記カーテンウォールは、床版に固設されたファスナーと、このファスナーと方立とを連結する取付金具とによって支持され、
前記耐火パネルは、四周が左右対の鋼製縦枠及び上下対の鋼製横枠からなる保持枠により保持されるとともに、前記鋼製縦枠の部材中間位置に掛止用切欠き部が形成されたユニットとされ、
前記耐火パネルユニットは、前記鋼製縦枠の掛止用切欠き部を前記ファスナーに掛止させることにより支持されていることを特徴とするカーテンウォールが提供される。
【００１６】
上記請求項５記載の本発明では、耐火パネルは、四周が左右対の鋼製縦枠及び上下対の鋼製横枠からなる保持枠により保持されるとともに、前記鋼製縦枠の部材中間位置に掛止用切欠き部が形成されたユニットとされ、前記鋼製縦枠の掛止用切欠き部をファスナーに掛止させることにより支持されている。
【００１７】
従って、耐火パネルをカーテンウォールではなく、ファスナー（通常は鋼製）によって支持するようにしたため、下階側から噴出火炎等の延焼によって、カーテンウォールを構成している方立や無目の熔解が発生したとしても、容易に耐火パネルの破損や落下が生じない構造とすることが可能となる。
【００１８】
請求項６に係る本発明として、スパンドレル部に耐火パネルが配置されたカーテンウォールであって、
前記カーテンウォールは、床版に固設されたファスナーと、このファスナーと方立とを連結する取付金具とによって支持され、
前記耐火パネルは、四周が左右対の鋼製縦枠及び上下対の鋼製横枠からなる保持枠により保持されるとともに、前記鋼製縦枠より内方側位置に別途鋼製掛止用縦材が設けられるとともに、この鋼製縦材の部材中間位置に掛止用切欠き部が形成されたユニットとされ、
前記耐火パネルユニットは、前記鋼製掛止用縦材の掛止用切欠き部を前記ファスナーに掛止させることにより支持されていることを特徴とするカーテンウォールが提供される。
【００１９】
上記請求項６記載の発明は、耐火パネルは四周が左右対の鋼製縦枠及び上下対の鋼製横枠からなる保持枠により保持されるとともに、前記鋼製縦枠より内方側位置に別途鋼製掛止用縦材が設けられるとともに、この鋼製縦材の部材中間位置に掛止用切欠き部が形成されたユニットとされ、前記鋼製掛止用縦材の掛止用切欠き部を前記ファスナーに掛止させることにより支持されている。
【００２０】
この場合も、前記請求項５記載の発明と同様に、耐火パネルをカーテンウォールではなく、ファスナー（通常は鋼製）によって支持するようにしたため、下階側から噴出火炎等の延焼によって、カーテンウォールを構成している方立や無目の変形や熔解が発生したとしても、容易に耐火パネルの破損や落下が生じない構造とすることが可能となる。
【００２１】
請求項７に係る本発明として、前記鋼製縦枠及び／又は鋼製掛止用縦材の部材長手方向に上下２段で前記掛止用切欠き部が形成され、上段側掛止切欠き部を前記ファスナーに掛止させるとともに、下段側掛止用切欠き部は床版支持用梁材に設けた耐火パネルファスナーに対して掛止させることにより前記耐火パネルユニットが支持されている請求項５〜６いずれかに記載のカーテンウォールが提供される。
【００２２】
上記請求項７記載の発明では、上下２段で掛止用切欠き部を形成し、上段側掛止切欠き部を前記ファスナーに掛止させるとともに、下段側掛止用切欠き部は床版支持用梁材に設けた耐火パネルファスナーに対して掛止させることにより前記耐火パネルユニットを支持するようにした。従って、耐火パネルユニットを安定的に支持することが可能となる。
【００２３】
請求項８に係る本発明として、前記鋼製縦枠及び／又は鋼製掛止用縦材のファスナーに対する掛止部は、ファスナー中央の取付金具の連結部位を避けて、その両側としてある請求項５〜７いずれかに記載のカーテンウォールが提供される。
【００２４】
上記請求項８記載の発明では、ファスナーにおける掛止態様を具体的に示したものである。カーテンウォールは、床版に固設されたファスナーと、このファスナーと方立とを連結する取付金具とによって支持されているため、ファスナーに対する掛止部は、ファスナー中央の取付金具の連結部位を避けて、その両側とするのが望ましい。
【００２５】
請求項９に係る本発明として、前記鋼製縦枠、鋼製横枠及び／又は鋼製掛止用部材を耐火材で覆う処理を行うことを前提に、これらの部材に代えて、アルミ合金製縦枠、アルミ合金製横枠及び／又はアルミ合金製掛止用部材を用いる請求項５〜８いずれかに記載のカーテンウォールが提供される。
【００２６】
前記縦枠、横枠、掛止用部材としては、耐火性能上鋼製とするのが望ましいのであるが、これらの部材をロックウールなどの耐火材で覆う処理を行うことを前提に、アルミ合金材とすることも可能である。
【発明の効果】
【００２７】
以上詳説のとおり本発明によれば、カーテンウォールのスパンドレル部に配置される耐火パネルの取付構造に係り、火災時にスパンドレル部が下階から噴出火炎等の延焼を受けても、容易に耐火パネルの破損や落下を生じさせないようにできる。
【発明を実施するための最良の形態】
【００２８】
以下、本発明の実施の形態について図面を参照しながら詳述する。
【００２９】
〔カーテンウォール構造〕
図１は方立支持部の水平断面図であり、図２は図１のII−II線矢視図、図３は方立支持部の要部拡大側面図、図４は図１のIV−IV線矢視図である。
【００３０】
カーテンウォール１は、建物躯体（床）の端部に固定された後述の方立支持金具１１によって、水平方向に所定の間隔をおいて上下方向に沿って方立２，２…を固定した後、この方立２，２間に上下方向に所定間隔で無目３，３…を架け渡して開口枠を形成し、各開口枠に対してガラス等のパネルを嵌合設置した構造となっている。
【００３１】
前記方立２は、詳細には図１に示されるように、相対的に室内側に位置する中空方形断面（２セル構造）の方立本体２Ａと、この方立本体２Ａの室外がわ面の中央位置に、部材長手方向に沿って連続するとともに、室外方向に突出して形成された方立突出片２Ｂと、この方立突出片２Ｂの先端部に逆Ｔ字状に形成された見付けフランジ部２Ｃとからなる形材である。
【００３２】
前記方立本体２Ａの室外がわ側面部分には凹部２ａが形成されるとともに、図示の例では前記方立突出片２Ｂの中間に断面Ｌ字状の係止部２ｂが形成され、これら凹部２ａ、係止部２ｂ間に跨って縦押縁５が取り付けられ、この縦押縁５と前記見付けフランジ２Ｃとによりガラス側縁嵌合溝ＭＶが形成され、パネルＰがガラス側縁嵌合溝ＭＶの室外側および室内側に夫々施工されたシール３０又はビード３１によって支持されている。また、方立２の室外側面と縦押縁５の室内面側との間には、図示例のように、気密・水密性能を向上させるために、縦方向に沿ってスポンジ、定形シール材等の気水密材３２を配設することができる。なお、前記縦押縁５の係止部は前記方立突出片２Ｂ以外に断面形状に応じて適宜決定することができる。
【００３３】
一方、前記無目３は、端面が方立２の方立突出片２Ｂに対面する位置に配置され、図１に示されるように、前記方立２の方立突出片２Ｂに固定された自重受けブラケット８によって方立２、２間に支持されるようになっている。前記無目３は中空状の無目本体３Ａと、この無目本体３Ａの室外側面から上側に延在する室外側延在部３Ｂとからなり、前記室外側延在部３Ｂによりガラス下縁側嵌合溝ＭＤが形成されている。
【００３４】
また、前記室外側延在部３Ｂの下面側には横押縁７が取り付けられ、ガラス上縁側嵌合溝ＭＵが形成されるようになっている。ガラスＧは、側縁部と同様に、ガラス面を跨いでガラス上下縁嵌合溝ＭＤ、ＭＵの室外側および室内側に夫々配設されたシール３０又はビード３１によって支持されている。また、前記無目３の室外側面には、横ラインを強調するための化粧カバー３２が取り付けられている。
【００３５】
〔方立支持構造〕
前記カーテンウォール１は、床版Ｆに固設されたファスナー１４と、このファスナー１４と方立２とを連結する取付金具１６とによって支持されている。具体的に前記方立２の支持構造は、図３に示されるように、床版Ｆの端部にアンカー金物１３が埋設固定されるとともに、このアンカー金物１３に頭部が嵌合支持され、かつネジ部を外部に突出させて設けられた固定用ボルト１５およびナット１５Ｂによりファスナー１４を固定し、一方、方立２の上部側を支持する取付金具１６をボルト１７，１７によって固定し、これら取付金具１６とファスナー１４との間にライナー金具１９を介在させた状態で固定用ボルト１８およびナット１８Ｂによって固定されている。前記取付金具１６は、図１に示されるように、方立２を支持する断面コ字状の方立支持部１６Ａと、前記ファスナー１４に固定される板状のファスナー固定部１６Ｃと、前記方立支持部１６Ａとファスナー固定部１６Ｃとを連結する板状連結部１６Ｂとからなる部材である。
【００３６】
また、前記取付金具１６の上部には雌ネジ筒１６ａが一体的に支持され、かつこの雌ネジ筒１６ａに螺入された上下方向調整ボルト２２の先端が前記ライナー金具１９より延在する上部フランジ片の水平面に当接することにより据付時に方立２の鉛直方向の建て付け位置が調整されるようになっている。
【００３７】
前記方立支持部１１は、各階毎に設けられ、ほぼ方立支持部１１に位置する方立接続部では、相対的に下段側方立２Ｌの方立本体２Ａに下半部が挿入され、ボルト１７によって固定されたスリーブジョイント材２３の上半部が上段側方立２Ｕの方立本体２Ａに挿入されることによって方立２の通り芯が調整されるようになっている。
【００３８】
〔耐火パネルユニットＳの構造〕
耐火パネルユニットＳは、カーテンウォール１の窓部と窓部との間の天井及び床部分（スパンドレル部）に配置されるものであって、図８に示されるように、四周が左右対の鋼製縦枠４０，４１及び上下対の鋼製横枠４２，４３からなる保持枠４４により保持されるとともに、前記鋼製縦枠４０の部材中間位置に、上下方向に間隔を空けて上下２段で掛止用切欠き部４０ａ、４０ｂが形成され、かつ前記鋼製縦枠４１の部材中間位置に、上下方向に間隔を空けて上下２段で掛止用切欠き部４１ａ、４１ｂが形成されたユニットＳとされ、この耐火パネルユニットＳは、図１及び図４に示されるように、前記鋼製縦枠４０，４１の上段側掛止用切欠き部４０ａ、４１ａを前記ファスナー１４に掛止させるとともに、鋼製縦枠４０，４１の下段側掛止用切欠き部４０ｂ、４１ｂを床版支持用梁材３４に設けた断面Ｌ字状の耐火パネルファスナー３５に対して掛止させることにより支持されている。
【００３９】
以下、更に具体的に詳述する。
【００４０】
耐火パネル本体４５としては、一般的に繊維混入珪酸カルシウム板からなる板状体が使用される。図７に示されるように、端面の略幅中央に溝４５ａが四周に亘って形成されており、この溝４５ａに対して前記鋼製縦枠４０、４１及び鋼製横枠４２，４３が固定される。前記鋼製縦枠４０は、断面コ字状とされ耐火パネル本体４５に対する係止部４０Ａと、断面コ字状部の室内側フランジを内方側にさらに延在させ、そこから室内側に９０°屈曲させ室内側に向けて延在させたブラケット板４０Ｂとからなり、前記係止部４０Ａの室外側フランジを前記耐火パネル本体４５の溝４５ａに係合させ接着することにより耐火パネル本体４５に固定されている。また、前記ブラケット板４０Ｂのファスナー１４に対応する上方位置に前記上段側掛止用切欠き部４０ａが形成され、かつ床版支持用梁材３４の下フランジ３４ａに対応する下方位置に前記下段側掛止用切欠き部４０ｂが夫々形成されている。なお、前記掛止用切欠き部４０ａ、４０ｂは、上方側からの落し込みによって掛止できるように、所定長さに亘り室内側側縁から凹状の切欠きを形成するとともに、この凹状切欠きの上縁奥側に上方向に連続する切欠きを形成することにより、下向きの掛止片４０ｃ、４０ｄを形成するようにしたものである。
【００４１】
前記鋼製縦枠４１も同様に、断面コ字状とされ耐火パネル本体４５に対する係止部４１Ａと、断面コ字状部の室内側フランジを内方側にさらに延在させ、そこから室内側に９０°屈曲させて室内側に向けて延在させたブラケット板４１Ｂとからなり、前記係止部４１Ａの室外側フランジを前記耐火パネル本体４５の溝４５ａに係合させ接着することにより耐火パネル本体４５に固定され、前記ブラケット板４１Ｂのファスナー１４に対応する上方位置に前記上段側掛止用切欠き部４１ａが形成され、かつ床版支持用梁材３４の下フランジ３４ａに対応する下方位置に前記下段側掛止用切欠き部４１ｂが夫々形成されている。これら上段側掛止用切欠き部４１ａ、下段側掛止用切欠き部４１ｂも上方側からの落し込みによって掛止できるように、所定長さに亘り室内側側縁から凹状の切欠きを形成するとともに、この凹状切欠きの上縁奥側に上方向に連続する切欠きを形成することにより、下向きの掛止片４１ｃ、４１ｄを形成するようにしたものである。
【００４２】
なお、前記構成縦枠４０，４１において、断面コ字状部の室内側フランジを内方側にさらに延在させてから屈曲させるのは、図１に示されるように、取付金具１６やライナー金具１９を避けて、ファスナー１４の両端部に掛止させるためである。
【００４３】
一方、鋼製横枠４２，４３は、断面コ字状とされ耐火パネル本体４５に対する係止部４２Ａ（４３Ａ）と、断面コ字状部の室内側フランジの側端から室内側に９０°屈曲させて室内側に向けて延在させたブラケット板４２Ｂ（４３Ｂ）とからなり、前記係止部４２Ａ（４３Ａ）の室外側フランジを前記耐火パネル本体４５の溝４５ａに係合させ接着することにより耐火パネル本体４５に固定され、前記ブラケット板４２Ｂ（４３Ｂ）の両端は前記鋼製縦枠４０，４１のブラケット板４０Ｂ、４１Ｂの内面に当接している。
【００４４】
また、前記鋼製縦枠４０には、断面コ字状部の室内側フランジから側方に突出させた塞ぎ板４６が設けられている。この塞ぎ板４６は、取付金具１６との干渉を避け、方立支持部１１を除く長手方向区間に亘って設けられている。
【００４５】
〔耐火パネルユニットＳの取付〕
本発明では、前記耐火パネルユニットＳは、従来のように、方立２や無目３に対して固定するのではなく、カーテンウォール１とは関係無く、ファスナー１４や耐火パネルファスナー３５を介して直接床版Ｆに固定するようにし、仮に火災時にスパンドレル部が下階から噴出火炎等の延焼を受けても、容易に耐火パネルの破損や落下を生じさせないようにしたものである。
【００４６】
前記取付金具１６は、図１に示されるように、方立支持部１６Ａとファスナー固定部１６Ｃとを連結する板状連結部１６Ｂを有し、この板状連結部１６Ｂを挟んで両側に夫々、耐火パネルユニットＳが配置される。
【００４７】
図１に示されるように、ファスナー１４の幅は、取付金具１６やライナー金具１９の幅よりも両側に長く設定されており、前記取付金具１６やライナー金具１９を避けた両側のファスナー１４部分が耐火パネルユニットＳの上段側掛止部となる。また、図４及び図５に示されるように、床版支持用梁材３４の下フランジ３４ａには、ブラケット３６を介して、断面Ｌ字状の耐火パネルファスナー３５が設けられ、この耐火パネルファスナー３５が耐火パネルユニットＳの下段側掛止部となる。なお、前記ファスナー１４の室内外方向位置と、前記耐火パネルファスナー３５の室内側方向位置とは一致している。
【００４８】
前記耐火パネルユニットＳを、方立２とファスナー１４との間の空間に持ち込み、上方側から落し込んで、前記鋼製縦枠４０，４１の上段側掛止用切欠き部４０ａ、４１ａを前記ファスナー１４に掛止させるとともに、鋼製縦枠４０，４１の下段側掛止用切欠き部４０ｂ、４１ｂを床版支持用梁材３４に設けられた断面Ｌ字状の耐火パネルファスナー３５に対して掛止させるようにする。
【００４９】
図６は、耐火パネルユニットＳの取付状態を背面側から見た図であり、鋼製縦枠４０，４１の上段側掛止用切欠き部４０ａ、４１ａは、前記取付金具１６やライナー金具１９を避けた両側のファスナー１４部分に掛止し、下段側掛止用切欠き部４０ｂ、４１ｂは前記耐火パネルファスナー３５に掛止されて支持されているとともに、隣接する耐火パネルユニットＳ、Ｓ間では、一方の鋼製縦枠４０に設けた塞ぎ板４６の先端部分が、隣接する耐火パネルユニットＳの鋼製縦枠４１に重なり、隙間が封止されている。
【００５０】
前記耐火パネルユニットＳの設置後には、図９に示されるように、床版Ｆと耐火パネルユニットＳの隙間にロックウール７が充填される。また、前記方立支持部１１及び耐火パネルファスナー３５部にロックウール８，９が吹付けられる。更には、前記塞ぎ板４６の背面側にもすべての隙間を埋めるようにロックウールが吹き付けられ、隣り合う耐火パネルＳ、Ｓの目地部が塞がれるとともに、鋼製縦枠４０，４１及び鋼製横枠４２，４３がロックウール１０Ａ〜１０Ｃで覆われることにより、同図に示されるように、下階から上階への噴出火炎等の延焼があったとしても、容易に耐火パネルの破損や落下を生じさせないようになっている。
【００５１】
〔他の形態例〕
(1)上記形態例では、鋼製縦枠４０，４１の断面コ字状部の室内側フランジを内方側にさらに延在させ、そこから室内側に９０°屈曲させ室内側に向けて延在させたブラケット板４０Ｂを形成することにより、前記取付金具１６やライナー金具１９を避けるようにしたが、図１０に示されるように、鋼製縦枠４０，４１及び鋼製横枠４２，４３として、すべて同じ断面形状の鋼製枠を用い、前記鋼製縦枠４０，４１より内方側位置に別途、鋼製掛止用縦材４７，４８を設け、この鋼製掛止用縦材４７，４８に上段側掛止用切欠き部４７ａ、４８ａを形成するようにしてもよい。この場合は、前記鋼製縦枠４０，４１の上部側には前記取付金具１６やライナー金具１９との干渉を避けるための切欠き４０ｅ，４１ｅを形成するようにし、かつ前記鋼製縦枠４０，４１には下段側掛止用切欠き部４０ｂ、４１ｂのみを形成するようにする。
(2)上記形態例では、安定支持のために、上下２段で支持するようにしたが、上段側、すなわちファスナー１４のみによる支持とすることも可能である。
(3)上記形態例では、鋼製縦枠４０，４１に掛止用切欠き部４０ａ、４１ａ、４０ｂ、４１ｂを形成し、ファスナーなどの躯体支持具に掛止させるようにしたが、ボルト固定や溶接等によることも可能である。
(4)本発明は、耐火パネルをカーテンウォールではなく、躯体に対して直接的に支持させるものであるから、耐火パネルが鋼製支持具を一体的に備え、この鋼製支持具を例えば、別途躯体に固設された躯体支持具やカーテンウォールを支持するために躯体に固設されたファスナー１４によって支持することにより、本発明の所期の目的を達し得るものとなる。
(5)前記耐火パネルを支持するために、躯体に固設された躯体支持具やカーテンウォールを支持するために躯体に固設されたファスナー１４としては、鋼製とすることが望ましいが、躯体側支持部を耐火材で覆う耐火処理を行う場合は、前記躯体支持具やファスナー１４として、アルミ合金材を含む金属材全般を用いることも可能である。また、同様に鋼製縦枠４０，４１や鋼製横枠４２，４３についても、これらの部材を耐火材で覆う処理を行う場合は、アルミ合金材を含む金属材全般を用いることが可能である。
【図面の簡単な説明】
【００５２】
【図１】方立支持部の水平断面図である。
【図２】図１のII−II線矢視図である。
【図３】方立支持部の要部拡大側面図
【図４】図１のIV−IV線矢視図である。
【図５】図４のV−V線矢視図である。
【図６】耐火パネルユニットＳの取付状態を示す背面図である。
【図７】耐火パネル本体４５の斜視図である。
【図８】耐火パネルユニットＳの斜視図である。
【図９】ロックウールによる耐火処理要領を示す図である。
【図１０】耐火パネルユニットＳの変形例を示す斜視図である。
【図１１】従来の耐火パネルの支持構造を示す縦断面図である。
【符号の説明】
【００５３】
１…カーテンウォール、２…方立、３…無目、１１…方立支持金具、１４…ファスナー、１６…取付金具、３５…耐火パネルファスナー、４０・４１…鋼製縦枠、４０ａ・４１ａ…上段側掛止用切欠き部、４０ｂ・４１ｂ…下段側掛止用切欠き部、４２・４３…鋼製横枠、４４…保持枠、４５…耐火パネル本体、４６…塞ぎ板、４７・４８…鋼製掛止用縦材
【図１】
2010001646.tif 000003
【図２】
2010001646.tif 000004
【図３】
2010001646.tif 000005
【図４】
2010001646.tif 000006
【図５】
2010001646.tif 000007
【図６】
2010001646.tif 000008
【図７】
2010001646.tif 000009
【図８】
2010001646.tif 000010
【図９】
2010001646.tif 000011
【図１０】
2010001646.tif 000012
【図１１】
2010001646.tif 000013